(57)【要約】【課題】  ＬＥＤを用いた表示のさらなる利用を実現可能な情報提供システムを提供する。【解決手段】  デジタルカメラ５０のレンズユニット５４を交通信号機１４へ向け、切換ボタン５８を押下する。これにより、要求信号発信部５５から要求信号ＹＳが発信される。交通信号機１４では、要求信号ＹＳが検知され、ＬＥＤ表示部４６からＬＥＤ点滅信号Ｓ１が発信される。デジタルカメラ５０は、ＬＥＤ点滅信号Ｓ１を受信し、受信したＬＥＤ点滅信号Ｓ１を提供データＴＤへ逆変換して、関連する関連データＫを抽出し、提供データＴＤ及び関連データＫをＬＣＤ６０へ表示する。【選択図】    図６
2007058296.tif 000002
【特許請求の範囲】
【請求項１】
特定情報を記録する特定情報記録手段と、この特定情報記録手段に記録された特定情報をＬＥＤ点滅信号に変換する信号変換手段と、前記信号変換手段により変換されたＬＥＤ点滅信号を発信するＬＥＤ信号発信手段と、を有する情報発信装置と、
前記特定情報と関連づけられた関連情報を記録する関連情報記録手段と、前記ＬＥＤ信号発信手段により発信されたＬＥＤ点滅信号を受信するＬＥＤ受信手段と、前記ＬＥＤ受信手段により受信したＬＥＤ点滅信号に変換された前記特定情報に関連する関連情報を前記関連情報記録手段に記録された関連情報の中から抽出する抽出手段と、前記ＬＥＤ受信手段により受信したＬＥＤ点滅信号を前記特定情報に逆変換する逆変換手段と、前記逆変換手段により逆変換された前記特定情報、及び、前記抽出手段により抽出された関連情報の少なくとも一方を表示する表示手段と、を有する情報表示装置と、
を備えた情報提供システム。
【請求項２】
前記情報発信装置は、ネットワークを介して前記特定情報の情報源データを保有する情報源サーバと接続され、前記特定情報を前記情報源サーバから取得する特定情報取得手段と、前記特定情報記録手段に記録されている前記特定情報を更新する更新手段と、をさらに有していること、を特徴とする請求項１に記載の情報提供システム。
【請求項３】
前記情報表示装置は、前記特定情報の発信を要求する情報要求信号を発信する要求発信手段を有し、
前記情報発信装置は、前記要求発信手段により発信される情報要求信号を受信する要求受信手段を有し、前記ＬＥＤ信号発信手段は前記要求受信手段により前記情報要求信号が受信された後に前記ＬＥＤ点滅信号を発信すること、を特徴とする請求項１または請求項２に記載の情報提供システム。
【請求項４】
前記ＬＥＤ点滅信号は、視認不能に高速点滅される高速点滅信号であることを特徴とする請求項１乃至請求項３のいずれか１項に記載の情報提供システム。
【請求項５】
前記ＬＥＤ信号発信手段は、複数のＬＥＤで点滅表示部が構成された交通信号機または鉄道信号機、であることを特徴とする請求項１乃至請求項４のいずれか１項に記載の情報提供システム。
【請求項６】
前記ＬＥＤ信号発信手段は、複数のＬＥＤで表示部が構成されたバス停案内板、であることを特徴とする請求項１乃至請求項４のいずれか１項に記載の情報提供システム。
【請求項７】
前記ＬＥＤ信号発信手段は、複数のＬＥＤで表示部が構成された駅案内掲示板、であることを特徴とする請求項１乃至請求項４のいずれか１項に記載の情報提供システム。
【請求項８】
前記ＬＥＤ信号発信手段は、複数のＬＥＤで表示部が構成された広告看板、であることを特徴とする請求項１乃至請求項４のいずれか１項に記載の情報提供システム。
【請求項９】
前記ＬＥＤ信号発信手段は、複数のＬＥＤで表示部が構成された自動販売機、であることを特徴とする請求項１乃至請求項４のいずれか１項に記載の情報提供システム。
【請求項１０】
前記特定情報は、前記ＬＥＤ信号発信手段の設置されている地域に関する地域情報を含んでいることを特徴とする請求項６乃至請求項９のいずれか１項に記載の情報提供システム。
【請求項１１】
前記情報表示装置は、前記ＬＥＤ受信手段が被写体の画像情報を取り込むイメージセンサを兼ね、前記ＬＥＤ受信手段によって取り込まれた前記画像情報を記録する画像情報記録手段をさらに有し、前記表示手段が前記ＬＥＤ受信手段により取り込まれた前記画像情報を表示する電子カメラであることを特徴とする請求項１乃至請求項１０のいずれか１項に記載の情報提供システム。
【請求項１２】
前記情報表示装置は、前記ＬＥＤ点滅信号の受信を行うＬＥＤ点滅信号受信モードと、画像の取り込みを行う撮影モードと、を切換える切換手段、をさらに有していることを特徴とする請求項１１に記載の情報提供システム。
【請求項１３】
前記情報表示装置は、前記ＬＥＤ受信手段により受信した前記ＬＥＤ点滅信号に対応する前記関連情報と、前記ＬＥＤ受信手段により取り込んだ前記画像情報と、を合成する合成手段、をさらに有していることを特徴とする請求項１１または請求項１２に記載の情報提供システム。
【発明の詳細な説明】
【技術分野】
【０００１】
本発明は、情報提供システムに係り、特に、ＬＥＤを用いて特定の情報を提供する情報提供システムに関する。
【背景技術】
【０００２】
近年、不特定の者に対して情報を提供する情報提供技術として、様々な技術が開発されている。例えば、特許文献１には、広告看板などから微弱電波や微弱赤外線信号により広告案内情報を発信し、携帯電話機などのモバイル端末で前記広告案内情報を受信して、広告案内情報を得る広告案内サービスシステムが開示されている。また、特許文献２には、信号機から位置情報を微弱電波によって発信し、端末装置で前記位置情報を受信して位置情報を得る技術が開示されている。
【特許文献１】特開２００２−２８６４９５号公報
【特許文献２】特開２００３−４３９６８号公報
【発明の開示】
【発明が解決しようとする課題】
【０００３】
一方、ＬＥＤの普及により、ＬＥＤを用いた表示が増加しており、このＬＥＤを用いた表示のさらなる利用が求められている。
【０００４】
本発明は上記事実に鑑みてなされたものであり、ＬＥＤを用いた表示のさらなる利用を実現可能な情報提供システムを提供することを目的とする。
【課題を解決するための手段】
【０００５】
上記目的を達成するために、請求項１記載の情報提供システムは、特定情報を記録する特定情報記録手段と、この特定情報記録手段に記録された特定情報をＬＥＤ点滅信号に変換する信号変換手段と、前記信号変換手段により変換されたＬＥＤ点滅信号を発信するＬＥＤ信号発信手段と、を有する情報発信装置と、前記特定情報と関連づけられた関連情報を記録する関連情報記録手段と、前記ＬＥＤ信号発信手段により発信されたＬＥＤ点滅信号を受信するＬＥＤ受信手段と、前記ＬＥＤ受信手段により受信したＬＥＤ点滅信号に変換された前記特定情報に関連する関連情報を前記関連情報記録手段に記録された関連情報の中から抽出する抽出手段と、前記ＬＥＤ受信手段により受信したＬＥＤ点滅信号を前記特定情報に逆変換する逆変換手段と、前記逆変換手段により逆変換された前記特定情報、及び、前記抽出手段により抽出された関連情報を表示する表示手段と、を有する情報表示装置と、を備えている。
【０００６】
上記情報提供システムでは、情報発信装置の特定情報記録手段に特定情報が記録され、信号変換手段で前記記録された特定情報がＬＥＤ点滅信号に変換され、ＬＥＤ信号発信手段で前記変換されたＬＥＤ点滅信号が発信される。
【０００７】
ここで、ＬＥＤ点滅信号とは、ＬＥＤの周波数を変調させたり、高速点滅させたりするにより得られる信号をいう。
【０００８】
一方、情報表示装置の関連情報記録手段には前記特定情報と関連づけられた関連情報が記録され、ＬＥＤ受信手段により前記発信されたＬＥＤ点滅信号が受信され、抽出手段により前記受信されたＬＥＤ点滅信号に変換された前記特定情報に関連する関連情報を関連情報記録手段に記録された関連情報の中から抽出され、逆変換手段により前記受信したＬＥＤ点滅信号が変換前の特定情報に逆変換され、表示手段により、前記特定情報及び前記抽出された関連情報の少なくとも一方が表示される。
【０００９】
上記構成の情報提供システムによれば、ＬＥＤ点滅信号を用いた通信により、情報の提供を行うことができると共に、ＬＥＤ点滅信号を受信して、予め保有する関連情報の中から提供された特定情報に関連するものを抽出して、特定情報及び関連情報の両方の情報を得ることができる。
【００１０】
なお、本発明の情報提供システムは、請求項２に記載のように、前記情報発信装置が、ネットワークを介して前記特定情報の情報源データを保有する情報源サーバと接続され、前記特定情報を前記情報源サーバから取得する特定情報取得手段と、前記特定情報記録手段に記録されている前記特定情報を更新する更新手段と、をさらに有していること、を特徴とすることもできる。
【００１１】
このように、特定情報記録手段に記録されている特定情報が更新されることにより、より新しい特定情報を提供することができる。
【００１２】
また、本発明の情報提供システムは、請求項３に記載のように、前記情報表示装置が、前記特定情報の発信を要求する情報要求信号を発信する要求発信手段を有し、前記情報発信装置は、前記要求発信手段により発信される情報要求信号を受信する要求受信手段を有し、前記ＬＥＤ信号発信手段は前記要求受信手段により前記情報要求信号が受信された後に前記ＬＥＤ点滅信号を発信すること、を特徴とすることもできる。
【００１３】
このように、情報表示装置からの情報要求信号を受信した場合にのみＬＥＤ点滅信号を発信することにより、情報要求信号の発信者にのみ特定情報を提供することができる。
【００１４】
また、本発明の情報提供システムは、請求項４に記載のように、前記ＬＥＤ点滅信号が、視認不能に高速点滅される高速点滅信号であることを特徴とすることができる。
【００１５】
このように、視認不能な高速点滅信号とすることにより、ＬＥＤの点灯により表示される表示情報と異なる内容の特定情報を、同一のＬＥＤを用いて発信することができる。
【００１６】
また、本発明の情報提供システムの前記ＬＥＤ信号発信手段は、請求項５に記載のように、複数のＬＥＤで点滅表示部が構成された交通信号機または鉄道信号機であることを特徴とすることができる。
【００１７】
また、本発明の情報提供システムの前記ＬＥＤ信号発信手段は、請求項６に記載のように、複数のＬＥＤで表示部が構成されたバス停案内板であることを特徴とすることができる。
【００１８】
また、本発明の情報提供システムの前記ＬＥＤ信号発信手段は、請求項７に記載のように、複数のＬＥＤで表示部が構成された駅案内掲示板、であることを特徴とすることができる。
【００１９】
また、本発明の情報提供システムの前記ＬＥＤ信号発信手段は、請求項８に記載のように、複数のＬＥＤで表示部が構成された広告看板、であることを特徴とすることができる。
【００２０】
また、本発明の情報提供システムの前記ＬＥＤ信号発信手段は、請求項９に記載のように、複数のＬＥＤで表示部が構成された自動販売機、であることを特徴とすることができる。
【００２１】
また、本発明の情報提供システムの前記特定情報は、請求項１０に記載のように、前記ＬＥＤ信号発信手段の設置されている地域に関する地域情報を含んでいることを特徴とすることができる。
【００２２】
ここで、地域情報とは、位置情報、飲食店などの店舗案内、観光案内、観光地の画像データなど、地域に特有の情報をいう。このようにＬＥＤ信号発信手段の設置されている地域に関する地域情報を発信することにより、ＬＥＤ信号発信手段の設置場所で情報を受信した者に対して有効な情報を提供することができる。
【００２３】
また、本発明の情報提供システムの前記情報表示装置は、請求項１１に記載のように、前記ＬＥＤ受信手段が被写体の画像情報を取り込むイメージセンサを兼ね、前記ＬＥＤ受信手段によって取り込まれた前記画像情報を記録する画像情報記録手段をさらに有し、前記表示手段が前記ＬＥＤ受信手段により取り込まれた前記画像情報を表示する電子カメラであることを特徴とすることができる。
【００２４】
上記情報表示装置のＬＥＤ受信手段は、ＬＥＤ点滅信号を情報として受信するのみならず、イメージセンサとしての機能も備えている。ここでのＬＥＤ受信手段は、ＣＣＤ、ＣＭＯＳなどで構成することができる。このように、イメージセンサ、及び、取り込んだ画像情報を記録する画像情報記録手段を備えることにより、電子カメラとしてもちいることができる。
【００２５】
また、本発明の情報提供システムの前記情報表示装置は、請求項１２に記載のように、前記ＬＥＤ点滅信号の受信を行うＬＥＤ点滅信号受信モードと、画像の取り込みを行う撮影モードと、を切換える切換手段、をさらに有していることを特徴とすることもできる。
【００２６】
上記構成によれば、ＬＥＤ点滅信号を受信する際にはＬＥＤ点滅信号受信モードに切換え、画像の取り込みを行う場合には撮影モードに切換えて、情報表示装置を用いる。
【００２７】
また、本発明の情報提供システムの前記情報表示装置は、請求項１３に記載のように、前記情報表示装置は、前記ＬＥＤ受信手段により受信した前記ＬＥＤ点滅信号に対応する前記関連情報と、前記ＬＥＤ受信手段により取り込んだ前記画像情報と、を合成する合成手段、をさらに有していることを特徴とすることもできる。
【００２８】
上記構成によれば、関連情報と画像情報とを合成することができる。
【発明の効果】
【００２９】
本発明によれば、ＬＥＤ点滅信号を用いた通信により、情報の提供を行うことができると共に、対応する関連情報も得ることができる。
【発明を実施するための最良の形態】
【００３０】
以下、図面を参照して、本発明の実施の形態について詳細に説明する。
【００３１】
［第１実施形態］
本実施形態では、管理サーバ及び交通信号機を本発明の情報発信装置として構成し、デジタルスチールカメラ（以下「デジタルカメラ」という）を本発明の情報表示装置として構成した。
【００３２】
まず、図１を参照して、本実施の形態に係る情報提供システム１０の構成を説明する。
【００３３】
同図に示すように、本実施形態に係る情報提供システム１０は、特定情報の管理を行うための管理サーバ１２、ＬＥＤ点滅信号Ｓ１を発信する複数の交通信号機１４が、各々モデム、ルータ、ＴＡ（Terminal Adapter）等の接続装置１８を介してネットワーク１９に接続されて構成された情報発信システム１１、及び、ＬＥＤ点滅信号Ｓ１を受信するデジタルカメラ５０で構成されている。
【００３４】
ネットワーク１９には、警察の管理する警察サーバ３６、地方自治体などの地域団体が管理する地域情報サーバ３８も接続されている。
【００３５】
本実施形態に係る管理サーバ１２は、図２に示すように、ＣＰＵ２０、ＲＯＭ２１、ＲＡＭ２２、インターフェース２３、入力部２４、表示部２５、及び、提供データ保持部２６を備えている。ＣＰＵ２０、ＲＯＭ２１、ＲＡＭ２２、インターフェース２３、入力部２４、表示部２５、及び、提供データ保持部２６は、互いにバス２７を介して接続されている。
【００３６】
入力部２４からは、各種情報、指示が入力される。表示部２５には、各種情報、指示が表示される。提供データ保持部２６には、交通信号機１４の各々の設置所在地、近郊の交通情報（事故、渋滞情報など）、事件情報（ひったくり被害の場所と時間など）、指定されている避難場所、設置所在地近郊の飲食店などの店舗情報、近郊の観光地情報（観光案内や観光地の画像データなど）、現在時刻などの提供データＴＤが記録されている。
【００３７】
また、警察サーバ３６では、交通情報、事件情報などの情報が管理され、地域情報サーバ３８では、避難場所、店舗情報、観光地情報などの地域に関する地域情報、及び関連する画像データなどが管理されている。
【００３８】
管理サーバ１２と、警察サーバ３６及び地域情報サーバ３８とは、ネットワーク１９を介して接続されており、提供データ保持部２６に記録されている提供データＴＤは、警察サーバ３６及び地域情報サーバ３８から取得され、所定期間毎に更新されている。
【００３９】
交通信号機１４は、図３に示すように、ＣＰＵ４０、ＲＯＭ４１、ＲＡＭ４２、インターフェース４３、信号変換部４４、信号制御部４５、ＬＥＤ表示部４６、及び、要求信号センサ４７を備えている。ＣＰＵ４０、ＲＯＭ４１、ＲＡＭ４２、インターフェース４３、信号変換部４４、信号制御部４５、ＬＥＤ表示部４６、及び、要求信号センサ４７は、互いにバス４８を介して接続されている。
【００４０】
信号変換部４４では、提供データＴＤがＬＥＤ点滅信号Ｓ１へ変換される。ＬＥＤ点滅信号Ｓ１は、視認不能に高速点滅される信号である。ＬＥＤ表示部４６は、ＬＥＤ点滅信号Ｓ１を発信する部分であり、複数のＬＥＤで構成されている。ＬＥＤ表示部４６では、交通信号の表示が行われている。ＬＥＤ表示部４６の全体または一部のＬＥＤにより、ＬＥＤ点滅信号Ｓ１の発信が行われる。要求信号センサ４７は、後述する要求信号ＹＳを検知可能とされている。交通信号機１４は、ネットワーク１９を介して、常時、管理サーバ１２と接続されており、管理サーバ１２から交通信号機１４へ対応する提供データＴＤが送信されている。
【００４１】
一方、図４には、本実施の形態に係るデジタルカメラ５０の概略斜視図が示されている。デジタルカメラ５０は、図４（Ａ）に示すように、筐体５２を備え、前面にレンズユニット５４、及び、要求信号発信部５５、上面にレリーズボタン５６、及び、後述するモード切換を行うための切換ボタン５８を備える。また、図４（Ｂ）に示すように、背面に液晶ディスプレイ（以下「ＬＣＤ」という）６０、指示キー６２、電源ＳＷ６４、及び、その他各種の入力を行うための入力ボタン６６を備える。
【００４２】
切換ボタン５８は、デジタルカメラ５０でＬＥＤ点滅信号Ｓ１を受信する場合に用いるボタンであり、押下により交通信号機１４に対して提供データＴＤの発信を促す要求信号ＹＳの発信指示がなされ、押下した状態とすることにより、デジタルカメラ５０のモードがＬＥＤ信号受信モードに切換えられ、押圧の解除によりモードを被写体の画像を取り込む撮影モードに切換えることができる。要求信号ＹＳは、要求信号発信部５５から発信される。
【００４３】
図５には、デジタルカメラ５０の電気系の要部構成が示されている。同図に示すように、本実施の形態に係るデジタルカメラ５０には、レンズユニット５４を通過する光量を調整する絞り７０、光の通過時間を調整するシャッタ７１、及び、光を光電変換してアナログ画像信号を出力するＣＣＤ７２が備えられている。
【００４４】
ＣＣＤ７２はアナログ信号処理部７３、及び、ＬＥＤ信号処理部７５と接続されている。アナログ信号処理部７３はアナログ／デジタル変換器（以下、「Ａ／Ｄ変換器」という）７４と接続され、Ａ／Ｄ変換器７４はデジタル信号処理部７６と接続されている。アナログ信号処理部７３は、ＣＣＤ７２から入力された信号に対して所定のアナログ信号処理を施す。Ａ／Ｄ変換器７４は、アナログ信号処理部７３から入力されたアナログ信号をデジタル信号に変換してデジタル信号処理部７６へ出力する。デジタル信号処理部７６は、入力されたデジタル信号に対して各種の処理を行い、デジタル画像データを生成する。
【００４５】
ＬＥＤ信号処理部７５は、バス８５と接続されており、ＣＣＤ７２から入力されたＬＥＤ点滅信号Ｓ１に対して所定の処理を行って、ＬＥＤ点滅信号Ｓ１を変換される前の提供データＴＤへ逆変換し、逆変換された提供データＴＤを、内部メモリ８１へ出力する。
【００４６】
また、デジタルカメラ５０には、ＣＰＵ８０、内部メモリ８１、表示制御部８２、記録制御部８３、が備えられている。表示制御部８２は、ＬＣＤ６０と接続されており、画像情報や文字、記号情報などをＬＣＤ６０へ表示するためのデータ処理を行なう。前述のデジタル信号処理部７６、ＣＰＵ８０、内部メモリ８１、表示制御部８２、記録制御部８３、及び、要求信号発信部５５は、バス８４を介して相互に接続されている。
【００４７】
ＣＰＵ８０は各種のプログラムを実行するなどしてデジタルカメラ５０全体の制御を行う。ＣＰＵ８０は、レリーズボタン５６、電源ボタン６４、切換ボタン５８と接続されている。
【００４８】
内部メモリ８１には、デジタル信号処理部７６で生成されたデジタル画像データ、デジタルカメラ５０の制御用の各種プログラム等が記録されている。
【００４９】
記録制御部８３は外部メモリ８４と接続可能とされており、外部メモリ８４へデジタル画像データを書き込む処理、及び、外部メモリ８４からデジタル画像データを読出す処理を実行可能とされている。また、内部メモリ８１には、関連データＫが、提供データＴＤと関連づけられて記録されている。関連データＫとしては、ユーザーが撮影した場所、店舗などの画像、画像に対応したコメント（過去に利用したことのある店舗についての情報、観光場所についての情報など）などが、データーベースとして記録されている。関連データＫは、ユーザーによって情報の追加、削除、修正など、自由に書き換えることができる。表示制御部８２は、ＬＣＤ２０へ画像等を表示するための所定の処理を行う。
【００５０】
さらに、デジタルカメラ５０には、レンズユニット５４を駆動させるためのレンズ駆動部８６、絞り７０を駆動させるための絞り駆動部８７、シャッタ７１を駆動させるためのシャッタ駆動部８８、及び、ＣＣＤ７２に対する撮影時のタイミング制御を行うＣＣＤ制御部８９が備えられている。レンズ駆動部８６、絞り制御部８７、シャッタ駆動部８８、及び、ＣＣＤ制御部８９は、ＣＰＵ８０と接続されている。
【００５１】
次に、本実施形態での情報提供について説明する。
【００５２】
デジタルカメラ５０を保持するユーザーが、１つの交通信号機１４から情報を得る場合には、図６に示すように、まず、デジタルカメラ５０のレンズユニット５４を交通信号機１４へ向け、切換ボタン５８を押下する。これにより、ＣＰＵ８０では、図７に示される情報表示処理が実行される。
【００５３】
ステップＳ１０で、モードが撮影モードからＬＥＤ受信モードに切換えられる。具体的には、ＣＣＤ制御部８９でのＣＣＤ７２の制御がＬＥＤ点滅信号Ｓ１受信用の制御に切り換えられ、ＣＣＤ７２からの信号は、ＬＥＤ信号処理部７５へ出力される。
【００５４】
次に、ステップＳ１１で、要求信号発信部５５へ、要求信号ＹＳの発信指示を出力する。これにより、要求信号発信部５５から要求信号ＹＳが発信される。そして、ステップＳ１２で、ＬＥＤ点滅信号Ｓ１を受信するまで待機する。
【００５５】
一方、交通信号機１４では、図８に示される、情報提供処理が実行されている。ステップＳ２０で、要求信号ＹＳが検知されるまで待機する。要求信号ＹＳは、要求信号センサ４７で検知される。要求信号ＹＳが検知されると、ステップＳ２１で、管理サーバ１２から出力された提供データＴＤを信号変換部４４でＬＥＤ点滅信号Ｓ１へ変換し、ステップＳ２２でＬＥＤ表示部４６からＬＥＤ点滅信号Ｓ１を発信する。
【００５６】
デジタルカメラ５０は、ＬＥＤ点滅信号Ｓ１を受信する。受信されたＬＥＤ点滅信号Ｓ１は、ＬＥＤ信号処理部７５へ出力され、ＬＥＤ点滅信号Ｓ１は提供データＴＤへ逆変換され、内部メモリ８１へ記録される。ＣＰＵ８０は、ＬＥＤ点滅信号Ｓ１が受信されると、ステップＳ１３で、逆変換された提供データＴＤと関連する関連データＫを、記録されている関連データＫの中から抽出する。そして、ステップＳ１４で、提供データＴＤ及び関連データＫをＬＣＤ６０へ表示する。提供データＴＤ及び関連データＫの表示は、図９に示すように、ＬＣＤ６０が２分割されて表示される。図９では、交通信号機１４の所在地付近の現在の画像が提供データＴＤとして表示され、この所在地近郊の１０年前の画像が関連データＫとして表示されている。
【００５７】
ユーザーは、表示されている提供データＴＤを記録するかどうかを判断し、記録を希望しない場合には、記録が不要である旨の記録不要指示を入力ボタン６６から入力し、記録を希望する場合には、記録が必要である旨の記録要求指示を入力ボタン６６から入力する。ステップＳ１５では、入力ボタン６６から記録要求指示が入力されたかどうかを判断し、記録要求指示が入力された場合には、ステップＳ１６で内部メモリ８１へ記録された提供データＴＤに新たなファイル名を付けて、ステップ１７で外部メモリ８４へ記録する。記録不要指示が入力された場合には、ステップＳ１８で内部メモリ８１へ記録された提供データＴＤを削除する。
【００５８】
本実施形態によれば、交通信号機１４のＬＥＤを利用して、様々な情報を提供することができる。また、ユーザーは、自己のデータベース内の情報と提供データＴＤとを関連づけて表示させることができるので、高い利便性を得ることができる。
【００５９】
なお、本実施形態では、交通信号機１４は、デジタルカメラ５０からの要求信号ＹＳを受信した場合のみ、提供データＴＤを発信したが、必ずしも要求信号ＹＳを受信後に提供データＴＤを発信する必要はなく、常時、または、所定時間毎に、提供データＴＤを発信してもよい。
【００６０】
また、本実施形態のデジタルカメラ５０は、ＬＣＤ６０を１つ備え、提供データＴＤと関連データＫとを２分割されたＬＣＤ６０に表示したが、提供データＴＤ表示用のＬＣＤと関連データＫ表示用のＬＣＤとを各々備えてもよい。また、提供データＴＤ記録用の外部メモリと関連データＫ記録用の外部メモリを各々備えてもよい。
【００６１】
また、本実施形態では、提供データＴＤと関連データＫの両方をＬＣＤ６０へ表示したが、いずれか一方のみを表示するようにしてもよい。
【００６２】
また、提供データＴＤと、デジタルカメラ５０の内部メモリ８１、または、外部メモリ８４に記録されている画像データＩとを、合成して保存してもよい。この場合には、図１０に示すように、前述の情報表示処理のステップＳ１５での判断が肯定された後に、ステップＳ３０でユーザーからの指示に基づいて合成用画像データＧＩを読み出し、ステップＳ３１で提供データＴＤと合成画像データＧＩとを合成処理し、ステップ１６以降の処理を行えばよい。図１１（Ａ）には、合成前の提供データＴＤ（交通信号機１４の所在地付近の現在の画像）が、図１１（Ｂ）には合成前の関連データＫ（自動車の画像）が示されており、図１１（Ｃ）には、両者が合成された画像が示されている。
【００６３】
［第２実施形態］
次に、第２実施形態について説明する。本実施形態では、第１実施形態と同様の部分については同一の符号を付して、詳細な説明は省略する。
【００６４】
本実施形態では、管理サーバ及び鉄道信号機を本発明の情報発信装置として構成し、デジタルカメラを本発明の情報表示装置として構成した。
【００６５】
図１２に示すように、本実施の形態に係る情報提供システム１００は、特定情報の管理を行うための管理サーバ１２、ＬＥＤ点滅信号Ｓ２を発信する複数の鉄道信号機１０４が、各々モデム、ルータ、ＴＡ（Terminal Adapter）等の接続装置１８を介してネットワーク１９に接続されて構成された情報発信システム１０１、及び、ＬＥＤ点滅信号Ｓ２を受信するデジタルカメラ５０で構成されている。
【００６６】
ネットワーク１９には、鉄道会社の管理する鉄道サーバ１０３、地方自治体などの地域団体が管理する地域情報サーバ３８も接続されている。
【００６７】
本実施形態に係る管理サーバ１２の構成は、第１実施形態と同様である。管理サーバ１２の提供データ保持部２６には、鉄道信号機１０４の各々の設置所在地、鉄道の運行状況（事故、遅延情報など）、電車の通過時刻に関する時刻表、通過する電車の画像データ、指定されている避難場所、設置所在地近郊の飲食店などの店舗情報、近郊の観光地情報（観光案内や観光地の画像データなど）、の提供データＴＤが記録されている。
【００６８】
また、鉄道サーバ１０３では、電車の通過時刻に関する時刻表、通過する電車の画像データ、鉄道の運行状況などの情報が管理され、地域情報サーバ３８では、避難場所、店舗情報、観光地情報などの地域に関する地域情報が管理されている。
【００６９】
管理サーバ１２と、鉄道サーバ１０３及び地域情報サーバ３８とは、ネットワーク１９を介して接続されており、提供データ保持部２６に記録されている提供データＴＤは、鉄道サーバ１０３及び地域情報サーバ３８から取得され、所定期間毎に更新されている。
【００７０】
鉄道信号機１０４は、図１３に示すように、ＣＰＵ１１０、ＲＯＭ１１１、ＲＡＭ１１２、インターフェース１１３、信号変換部１１４、信号制御部１１５、ＬＥＤ表示部１１６、及び、要求信号センサ１１７を備えている。ＣＰＵ１１０、ＲＯＭ１１１、ＲＡＭ１１２、インターフェース１１３、信号変換部１１４、信号制御部１１５、ＬＥＤ表示部１１６、及び、要求信号センサ１１７は、互いにバス１１８を介して接続されている。信号変換部１１４では、提供データＴＤがＬＥＤ点滅信号Ｓ２へ変換される。ＬＥＤ点滅信号Ｓ２は、視認不能に高速点滅される信号である。ＬＥＤ表示部１１６は、ＬＥＤ点滅信号Ｓ２を発信する部分であり、複数のＬＥＤで構成されている。ＬＥＤ表示部１１６では、鉄道信号の表示が行われている。ＬＥＤ表示部１１６の全体または一部のＬＥＤにより、ＬＥＤ点滅信号Ｓ２の発信が行われる。要求信号センサ１１７は、要求信号ＹＳを検知可能とされている。鉄道信号機１０４は、ネットワーク１９を介して、常時、管理サーバ１２と接続されており、管理サーバ１２から鉄道信号機１０４へ、対応する提供データＴＤが送信されている。
【００７１】
本実施形態に係るデジタルカメラ５０の構成については、第１実施形態と同様である。
【００７２】
次に、本実施形態での情報提供について説明する。
【００７３】
デジタルカメラ５０を保持するユーザーが、１つの鉄道信号機１０４から情報を得る場合には、図１４に示すように、まず、デジタルカメラ５０のレンズユニット５４を鉄道信号機１０４へ向け、切換ボタン５８を押下する。これにより、ＣＰＵ８０では、第１実施形態の、図７に示される情報表示処理が実行され、鉄道信号機１０４では、デジタルカメラ５０からの要求信号ＹＳを受けて、図８に示される情報提供処理が実行される。
【００７４】
本実施形態によれば、鉄道信号機１０４のＬＥＤを利用して、様々な情報を提供することができる。また、ユーザーは、自己のデータベース内の情報と提供データＴＤとを関連づけて表示させることができるので、高い利便性を得ることができる。
【００７５】
［第３実施形態］
次に、第３実施形態について説明する。本実施形態では、第１、第２実施形態と同様の部分については同一の符号を付して、詳細な説明は省略する。
【００７６】
本実施形態では、管理サーバ及びバス停案内板を本発明の情報発信装置として構成し、デジタルカメラを本発明の情報表示装置として構成した。
【００７７】
図１５に示すように、本実施の形態に係る情報提供システム１２０は、特定情報の管理を行うための管理サーバ１２、ＬＥＤ点滅信号Ｓ３を発信する複数のバス停案内板１２１が、各々モデム、ルータ、ＴＡ（Terminal Adapter）等の接続装置１８を介してネットワーク１９に接続されて構成された情報発信システム１２２、及び、ＬＥＤ点滅信号Ｓ３を受信するデジタルカメラ５０で構成されている。
【００７８】
ネットワーク１９には、バス会社の管理するバスサーバ１０６、地方自治体などの地域団体が管理する地域情報サーバ３８も接続されている。
【００７９】
本実施形態に係る管理サーバ１２の構成は、第１実施形態と同様である。管理サーバ１２の提供データ保持部２６には、バスの運行状況、バスの時刻表、バスの路線価格表、バスの画像データ、バス停案内板１２１の各々の設置所在地、指定されている避難場所、設置所在地近郊の飲食店などの店舗情報、近郊の観光地情報（観光案内や観光地の画像データなど）、の提供データＴＤが記録されている。
【００８０】
また、バスサーバ１０６では、バスの運行状況、バスの時刻表、バスの路線価格表、バスの画像データ、などの情報が管理され、地域情報サーバ３８では、避難場所、店舗情報、観光地情報などの地域に関する地域情報が管理されている。
【００８１】
管理サーバ１２と、バスサーバ１０６及び地域情報サーバ３８とは、ネットワーク１９を介して接続されており、提供データ保持部２６に記録されている提供データＴＤは、バスサーバ１０６及び地域情報サーバ３８から取得され、所定期間毎に更新されている。
【００８２】
バス停案内板１２１は、図１６に示すように、ＣＰＵ１３０、ＲＯＭ１３１、ＲＡＭ１３２、インターフェース１３３、信号変換部１３４、信号制御部１３５、ＬＥＤ表示部１３６、及び、要求信号センサ１３７を備えている。ＣＰＵ１３０、ＲＯＭ１３１、ＲＡＭ１３２、インターフェース１３３、信号変換部１３４、信号制御部１３５、ＬＥＤ表示部１３６、及び、要求信号センサ１３７は、互いにバス１３８を介して接続されている。信号変換部１３４では、提供データＴＤがＬＥＤ点滅信号Ｓ３へ変換される。ＬＥＤ点滅信号Ｓ３は、視認不能に高速点滅される信号である。ＬＥＤ表示部１３６は、ＬＥＤ点滅信号Ｓ３を発信する部分であり、複数のＬＥＤで構成されている。ＬＥＤ表示部１３６では、バス案内表示が行われている。ＬＥＤ表示部１３６の全体または一部のＬＥＤにより、ＬＥＤ点滅信号Ｓ３の発信が行われる。要求信号センサ１３７は、要求信号ＹＳを検知可能とされている。バス停案内板１２１は、ネットワーク１９を介して、常時、管理サーバ１２と接続されており、管理サーバ１２からバス停案内板１２１へ、対応する提供データＴＤが送信されている。
【００８３】
本実施形態に係るデジタルカメラ５０の構成については、第１実施形態と同様である。
【００８４】
次に、本実施形態での情報提供について説明する。
【００８５】
デジタルカメラ５０を保持するユーザーが、１つのバス停案内板１２１から情報を得る場合には、図１７に示すように、まず、デジタルカメラ５０のレンズユニット５４をバス停案内板１２１へ向け、切換ボタン５８を押下する。これにより、ＣＰＵ１３０では、第１実施形態の、図７に示される情報表示処理が実行され、バス停案内板１２１では、デジタルカメラ５０からの要求信号ＹＳを受けて、図８に示される情報提供処理が実行される。
【００８６】
本実施形態によれば、バス停案内板１２１のＬＥＤを利用して、様々な情報を提供することができる。また、ユーザーは、自己のデータベース内の情報と提供データＴＤとを関連づけて表示させることができるので、高い利便性を得ることができる。
【００８７】
［第４実施形態］
次に、第４実施形態について説明する。本実施形態では、第１、第２、第３実施形態と同様の部分については同一の符号を付して、詳細な説明は省略する。
【００８８】
本実施形態では、管理サーバ及び駅案内掲示板を本発明の情報発信装置として構成し、デジタルカメラを本発明の情報表示装置として構成した。
【００８９】
図１８に示すように、本実施の形態に係る情報提供システム１４０は、特定情報の管理を行うための管理サーバ１２、ＬＥＤ点滅信号Ｓ４を発信する複数の駅案内表示板１４１が、各々モデム、ルータ、ＴＡ（Terminal Adapter）等の接続装置１８を介してネットワーク１９に接続されて構成された情報発信システム１４２、及び、ＬＥＤ点滅信号Ｓ４を受信するデジタルカメラ５０で構成されている。
【００９０】
ネットワーク１９には、鉄道会社の管理する鉄道サーバ１０３、地方自治体などの地域団体が管理する地域情報サーバ３８も接続されている。
【００９１】
本実施形態に係る管理サーバ１２の構成は、第１実施形態と同様である。管理サーバ１２の提供データ保持部２６には、駅案内掲示板１４１の各々の設置所在地、鉄道の時刻表、運行状況（事故、遅延情報など）、運賃、指定されている避難場所、設置所在地近郊の飲食店などの店舗情報、近郊の観光地情報（観光案内や観光地の画像データなど）、の提供データＴＤが記録されている。
【００９２】
また、鉄道サーバ１０３では、鉄道の時刻表、鉄道の運行状況、運賃などの情報が管理され、地域情報サーバ３８では、避難場所、店舗情報、観光地情報などの地域に関する地域情報が管理されている。
【００９３】
管理サーバ１２と、鉄道サーバ１０３及び地域情報サーバ３８とは、ネットワーク１９を介して接続されており、提供データ保持部２６に記録されている提供データＴＤは、鉄道サーバ１０３及び地域情報サーバ３８から取得され、所定期間毎に更新されている。
【００９４】
駅案内掲示板１４１は、図１９に示すように、ＣＰＵ１５０、ＲＯＭ１５１、ＲＡＭ１５２、インターフェース１５３、信号変換部１５４、信号制御部１５５、ＬＥＤ表示部１５６、及び、要求信号センサ１５７を備えている。ＣＰＵ１５０、ＲＯＭ１５１、ＲＡＭ１５２、インターフェース１５３、信号変換部１５４、信号制御部１３５、ＬＥＤ表示部１５６、及び、要求信号センサ１５７は、互いにバス１５８を介して接続されている。信号変換部１５４では、提供データＴＤがＬＥＤ点滅信号Ｓ４へ変換される。ＬＥＤ点滅信号Ｓ４は、視認不能に高速点滅される信号である。ＬＥＤ表示部１５６は、ＬＥＤ点滅信号Ｓ４を発信する部分であり、複数のＬＥＤで構成されている。ＬＥＤ表示部１５６では、列車案内表示が行われている。ＬＥＤ表示部１５６の全体または一部のＬＥＤにより、ＬＥＤ点滅信号Ｓ４の発信が行われる。要求信号センサ１５７は、要求信号ＹＳを検知可能とされている。駅案内掲示板１４１は、ネットワーク１９を介して、常時、管理サーバ１２と接続されており、管理サーバ１２から駅案内掲示板１４１へ、対応する提供データＴＤが送信されている。
【００９５】
本実施形態に係るデジタルカメラ５０の構成については、第１実施形態と同様である。
【００９６】
次に、本実施形態での情報提供について説明する。
【００９７】
デジタルカメラ５０を保持するユーザーが、１つの駅案内掲示板１４１から情報を得る場合には、図２０に示すように、まず、デジタルカメラ５０のレンズユニット５４を駅案内掲示板１４１へ向け、切換ボタン５８を押下する。これにより、ＣＰＵ１５０では、第１実施形態の、図７に示される情報表示処理が実行され、駅案内掲示板１４１では、デジタルカメラ５０からの要求信号ＹＳを受けて、図８に示される情報提供処理が実行される。
【００９８】
本実施形態によれば、駅案内掲示板１４１のＬＥＤを利用して、様々な情報を提供することができる。また、ユーザーは、自己のデータベース内の情報と提供データＴＤとを関連づけて表示させることができるので、高い利便性を得ることができる。
【００９９】
［第５実施形態］
次に、第５実施形態について説明する。本実施形態では、第１、第２、第３、第４実施形態と同様の部分については同一の符号を付して、詳細な説明は省略する。
【０１００】
本実施形態では、管理サーバ及び広告看板を本発明の情報発信装置として構成し、デジタルカメラを本発明の情報表示装置として構成した。
【０１０１】
図２１に示すように、本実施の形態に係る情報提供システム１６０は、特定情報の管理を行うための管理サーバ１２、ＬＥＤ点滅信号Ｓ５を発信する複数の広告看板１６１が、各々モデム、ルータ、ＴＡ（Terminal Adapter）等の接続装置１８を介してネットワーク１９に接続されて構成された情報発信システム１６２、及び、ＬＥＤ点滅信号Ｓ５を受信するデジタルカメラ５０で構成されている。
【０１０２】
ネットワーク１９には、広告会社の管理する広告サーバ１０７、地方自治体などの地域団体が管理する地域情報サーバ３８も接続されている。
【０１０３】
本実施形態に係る管理サーバ１２の構成は、第１実施形態と同様である。管理サーバ１２の提供データ保持部２６には、広告看板１６１の各々の設置所在地、商品、会社の様々な広告、指定されている避難場所、設置所在地近郊の飲食店などの店舗情報、近郊の観光地情報（観光案内や観光地の画像データなど）、の提供データＴＤが記録されている。
【０１０４】
また、広告サーバ１０７では、広告情報が管理され、地域情報サーバ３８では、避難場所、店舗情報、観光地情報などの地域に関する地域情報が管理されている。
【０１０５】
管理サーバ１２と、広告サーバ１０７及び地域情報サーバ３８とは、ネットワーク１９を介して接続されており、提供データ保持部２６に記録されている提供データＴＤは、広告サーバ１０７及び地域情報サーバ３８から取得され、所定期間毎に更新されている。
【０１０６】
広告看板１６１は、図２２に示すように、ＣＰＵ１７０、ＲＯＭ１７１、ＲＡＭ１７２、インターフェース１７３、信号変換部１７４、信号制御部１７５、ＬＥＤ表示部１７６、及び、要求信号センサ１７７を備えている。ＣＰＵ１７０、ＲＯＭ１７１、ＲＡＭ１７２、インターフェース１７３、信号変換部１７４、信号制御部１７５、ＬＥＤ表示部１７６、及び、要求信号センサ１７７は、互いにバス１７８を介して接続されている。信号変換部１７４では、提供データＴＤがＬＥＤ点滅信号Ｓ５へ変換される。ＬＥＤ点滅信号Ｓ５は、視認不能に高速点滅される信号である。ＬＥＤ表示部１７６は、ＬＥＤ点滅信号Ｓ５を発信する部分であり、複数のＬＥＤで構成されている。ＬＥＤ表示部１７６では、広告表示が行われている。ＬＥＤ表示部１７６の全体または一部のＬＥＤにより、ＬＥＤ点滅信号Ｓ５の発信が行われる。要求信号センサ１７７は、要求信号ＹＳを検知可能とされている。広告看板１６１は、ネットワーク１９を介して、常時、管理サーバ１２と接続されており、管理サーバ１２から広告看板１６１へ、対応する提供データＴＤが送信されている。
【０１０７】
本実施形態に係るデジタルカメラ５０の構成については、第１実施形態と同様である。
【０１０８】
次に、本実施形態での情報提供について説明する。
【０１０９】
デジタルカメラ５０を保持するユーザーが、１つの広告看板１６１から情報を得る場合には、図２３に示すように、まず、デジタルカメラ５０のレンズユニット５４を広告看板１６１へ向け、切換ボタン５８を押下する。これにより、ＣＰＵ１７０では、第１実施形態の、図７に示される情報表示処理が実行され、広告看板１６１では、デジタルカメラ５０からの要求信号ＹＳを受けて、図８に示される情報提供処理が実行される。
【０１１０】
本実施形態によれば、広告看板１６１のＬＥＤを利用して、様々な情報を提供することができる。また、ユーザーは、自己のデータベース内の情報と提供データＴＤとを関連づけて表示させることができるので、高い利便性を得ることができる。
【０１１１】
［第６実施形態］
次に、第６実施形態について説明する。本実施形態では、第１、第２、第３、第４、第５実施形態と同様の部分については同一の符号を付して、詳細な説明は省略する。
【０１１２】
本実施形態では、管理サーバ及び自動販売機を本発明の情報発信装置として構成し、デジタルカメラを本発明の情報表示装置として構成した。
【０１１３】
図２４に示すように、本実施の形態に係る情報提供システム１６０は、特定情報の管理を行うための管理サーバ１２、ＬＥＤ点滅信号Ｓ６を発信する複数の自動販売機１８１が、各々モデム、ルータ、ＴＡ（Terminal Adapter）等の接続装置１８を介してネットワーク１９に接続されて構成された情報発信システム１８２、及び、ＬＥＤ点滅信号Ｓ６を受信するデジタルカメラ５０で構成されている。
【０１１４】
ネットワーク１９には、販売会社の管理する販売サーバ１０８、地方自治体などの地域団体が管理する地域情報サーバ３８も接続されている。
【０１１５】
本実施形態に係る管理サーバ１２の構成は、第１実施形態と同様である。管理サーバ１２の提供データ保持部２６には、自動販売機１８１の各々の設置所在地、販売商品の内容、在庫、指定されている避難場所、設置所在地近郊の飲食店などの店舗情報、近郊の観光地情報（観光案内や観光地の画像データなど）、の提供データＴＤが記録されている。
【０１１６】
また、販売サーバ１０８では、販売情報が管理され、地域情報サーバ３８では、避難場所、店舗情報、観光地情報などの地域に関する地域情報が管理されている。
【０１１７】
管理サーバ１２と、販売サーバ１０８及び地域情報サーバ３８とは、ネットワーク１９を介して接続されており、提供データ保持部２６に記録されている提供データＴＤは、販売サーバ１０８及び地域情報サーバ３８から取得され、所定期間毎に更新されている。
【０１１８】
自動販売機１８１は、図２５に示すように、ＣＰＵ１９０、ＲＯＭ１９１、ＲＡＭ１９２、インターフェース１９３、信号変換部１９４、信号制御部１９５、ＬＥＤ表示部１９６、及び、要求信号センサ１９７を備えている。ＣＰＵ１９０、ＲＯＭ１９１、ＲＡＭ１９２、インターフェース１９３、信号変換部１９４、信号制御部１９５、ＬＥＤ表示部１９６、及び、要求信号センサ１９７は、互いにバス１９８を介して接続されている。信号変換部１９４では、提供データＴＤがＬＥＤ点滅信号Ｓ６へ変換される。ＬＥＤ点滅信号Ｓ６は、視認不能に高速点滅される信号である。ＬＥＤ表示部１９６は、ＬＥＤ点滅信号Ｓ６を発信する部分であり、複数のＬＥＤで構成されている。ＬＥＤ表示部１９６では、販売商品の案内表示が行われている。ＬＥＤ表示部１９６の全体または一部のＬＥＤにより、ＬＥＤ点滅信号Ｓ６の発信が行われる。要求信号センサ１９７は、要求信号ＹＳを検知可能とされている。自動販売機１８１は、ネットワーク１９を介して、常時、管理サーバ１２と接続されており、管理サーバ１２から自動販売機１８１へ、対応する提供データＴＤが送信されている。
【０１１９】
本実施形態に係るデジタルカメラ５０の構成については、第１実施形態と同様である。
【０１２０】
次に、本実施形態での情報提供について説明する。
【０１２１】
デジタルカメラ５０を保持するユーザーが、１つの自動販売機１８１から情報を得る場合には、図２６に示すように、まず、デジタルカメラ５０のレンズユニット５４を自動販売機１８１へ向け、切換ボタン５８を押下する。これにより、ＣＰＵ１９０では、第１実施形態の、図７に示される情報表示処理が実行され、自動販売機１８１では、デジタルカメラ５０からの要求信号ＹＳを受けて、図８に示される情報提供処理が実行される。
【０１２２】
本実施形態によれば、自動販売機１８１のＬＥＤを利用して、様々な情報を提供することができる。また、ユーザーは、自己のデータベース内の情報と提供データＴＤとを関連づけて表示させることができるので、高い利便性を得ることができる。
【０１２３】
なお、上記第１〜第６実施形態では、情報表示装置としてデジタルカメラを例に説明したが、本発明に係る情報表示装置はこれに限定されるものではなく、携帯電話、ＰＤＡ（携帯情報端末）、などに適用することもできる。
【図面の簡単な説明】
【０１２４】
【図１】第１実施形態に係る情報提供システムの全体構成を示すブロック図である。
【図２】第１実施形態の管理サーバの電気系の主要構成を示すブロック図である。
【図３】第１実施形態の交通信号機の電気系の主要構成を示すブロック図である。
【図４】第１実施形態のデジタルカメラの（Ａ）は正面概略図であり、（Ｂ）は背面概略図である。
【図５】第１実施形態のデジタルカメラの電気系の主要構成を示すブロック図である。
【図６】第１実施形態のデジタルカメラと交通信号機との通信を示す図である。
【図７】第１実施形態に係る情報表示処理の流れを示すフローチャートである。
【図８】第１実施形態に係る情報提供処理の流れを示すフローチャートである。
【図９】ＬＣＤへ提供データと関連データとが表示されている例を示す図である。
【図１０】第１実施形態に係る情報表示処理の変形例の流れを示すフローチャートである。
【図１１】提供データと関連データとが合成される状態を示す図である。
【図１２】第２実施形態に係る情報提供システムの全体構成を示すブロック図である。
【図１３】第２実施形態の鉄道信号機の電気系の主要構成を示すブロック図である。
【図１４】第２実施形態のデジタルカメラと鉄道信号機との通信を示す図である。
【図１５】第３実施形態に係る情報提供システムの全体構成を示すブロック図である。
【図１６】第３実施形態のバス停案内板の電気系の主要構成を示すブロック図である。
【図１７】第３実施形態のデジタルカメラとバス停案内板との通信を示す図である。
【図１８】第４実施形態に係る情報提供システムの全体構成を示すブロック図である。
【図１９】第４実施形態の駅案内掲示板の電気系の主要構成を示すブロック図である。
【図２０】第４実施形態のデジタルカメラと駅案内掲示板との通信を示す図である。
【図２１】第５実施形態に係る情報提供システムの全体構成を示すブロック図である。
【図２２】第５実施形態の広告看板の電気系の主要構成を示すブロック図である。
【図２３】第５実施形態のデジタルカメラと広告看板との通信を示す図である。
【図２４】第６実施形態に係る情報提供システムの全体構成を示すブロック図である。
【図２５】第６実施形態の自動販売機の電気系の主要構成を示すブロック図である。
【図２６】第６実施形態のデジタルカメラと自動販売機との通信を示す図である。
【符号の説明】
【０１２５】
１０   情報提供システム
１１   情報発信システム
１２   管理サーバ
１４   交通信号機
１９   ネットワーク
２６   提供データ保持部
３６   警察サーバ
３８   地域情報サーバ
４４   信号変換部
４５   信号制御部
４６   ＬＥＤ表示部
４７   要求信号センサ
５０   デジタルカメラ
５５   要求信号発信部
５８   切換ボタン
７５   ＬＥＤ信号処理部
８１   内部メモリ
８４   外部メモリ
１００ 情報提供システム
１０１ 情報発信システム
１０３ 鉄道サーバ
１０４ 鉄道信号機
１０６ バスサーバ
１０７ 広告サーバ
１０８ 販売サーバ
１１４ 信号変換部
１１６ ＬＥＤ表示部
１１７ 要求信号センサ
１２０ 情報提供システム
１２１ バス停案内板
１２２ 情報発信システム
１３４ 信号変換部
１３６ ＬＥＤ表示部
１３７ 要求信号センサ
１４０ 情報提供システム
１４１ 駅案内掲示板
１４２ 情報発信システム
１５４ 信号変換部
１５６ ＬＥＤ表示部
１５７ 要求信号センサ
１６０ 情報提供システム
１６１ 広告看板
１６２ 情報発信システム
１７４ 信号変換部
１７６ ＬＥＤ表示部
１７７ 要求信号センサ
１８１ 自動販売機
１８２ 情報発信システム
１９４ 信号変換部
１９６ ＬＥＤ表示部
１９７ 要求信号センサ
Ｋ     関連データ
ＴＤ   提供データ
ＹＳ   要求信号
Ｓ１   ＬＥＤ点滅信号
Ｓ２   ＬＥＤ点滅信号
Ｓ３   ＬＥＤ点滅信号
Ｓ４   ＬＥＤ点滅信号
Ｓ５   ＬＥＤ点滅信号
Ｓ６   ＬＥＤ点滅信号
【図１】
2007058296.tif 000003
【図２】
2007058296.tif 000004
【図３】
2007058296.tif 000005
【図４】
2007058296.tif 000006
【図５】
2007058296.tif 000007
【図６】
2007058296.tif 000008
【図７】
2007058296.tif 000009
【図８】
2007058296.tif 000010
【図９】
2007058296.tif 000011
【図１０】
2007058296.tif 000012
【図１１】
2007058296.tif 000013
【図１２】
2007058296.tif 000014
【図１３】
2007058296.tif 000015
【図１４】
2007058296.tif 000016
【図１５】
2007058296.tif 000017
【図１６】
2007058296.tif 000018
【図１７】
2007058296.tif 000019
【図１８】
2007058296.tif 000020
【図１９】
2007058296.tif 000021
【図２０】
2007058296.tif 000022
【図２１】
2007058296.tif 000023
【図２２】
2007058296.tif 000024
【図２３】
2007058296.tif 000025
【図２４】
2007058296.tif 000026
【図２５】
2007058296.tif 000027
【図２６】
2007058296.tif 000028